(57)【要約】      （修正有）【課題】ハンドルを自由に交換でき、かつハンドルが人体工学に完全に則した設計で使用者が楽に使用でき、かつ温度測定装置を備えた、ドリップポットを提供する。【解決手段】ドリップポットは、液体を入れるポット本体１と、液体の温度を測定するために用いる少なくとも１つの温度計２を含み、該ポット本体の上端部にポット蓋１１が設置され、該ポット蓋の上端部につまみ１２が設置され、該つまみが該ポット蓋上面の凹陥孔に取り付けられ、該ポット本体の一側に注ぎ口１３が設けられ、該注ぎ口に相対する該ポット本体の一側にハンドル１４が設置され、該温度計に設けられた温度プローブを選択的に該ハンドルに挿入して収納するか、該ポット蓋を介してポット本体内部に挿入し、液体の温度を測定することができる。【選択図】図１
0003226024.tif 000002
【実用新案登録請求の範囲】
【請求項１】
ドリップポットであって、少なくとも、液体を入れるためのポット本体と、液体の温度を測定するために用いる少なくとも１つの温度計を含み、該ポット本体の上端部にポット蓋が設置され、該ポット本体の一側に少なくとも１つの注ぎ口が設けられ、該注ぎ口に相対する該ポット本体の一側に少なくとも１つのハンドルが設置され、該温度計に設けられた温度プローブを選択的に該ハンドルに挿入して収納するか、該ポット蓋を介して該ポット本体内部に挿入し、該液体の温度を測定することができ、該ハンドルが柄部と支持体を含み、該支持体の一端が該ポット本体の側面に固定され、該支持体の他端が該柄部を挟持し、該柄部が上ハンドルと下ハンドルで構成され、かつ該上ハンドルと該下ハンドルの結合端に該柄部を挟持してポット本体に固定するために用いる頚部が形成された、ことを特徴とする、ドリップポット。
【請求項２】
前記支持体が左翼部と右翼部により前端部に２つの固定端を備えたＹ字形の構造を構成し、該支持体の前端部の該２つの固定端が該ポット本体に固定されて三角形の固定点を形成するとともに、該支持体の後端部が挟持端であり、該柄部の該頚部を挟持するために用いられる、ことを特徴とする、請求項１に記載のドリップポット。
【請求項３】
前記ポット本体が六角形のポットであり、該ポット本体の該注ぎ口の入水口が該六角形のポットの１つの角部に設けられた、ことを特徴とする、請求項１に記載のドリップポット。
【請求項４】
前記注ぎ口が、該注ぎ口の該入水口が上に向かって湾曲し、該注ぎ口の出水口が下に向かって湾曲したハクチョウの首のような湾曲状であり、そのうち、該注ぎ口の入水口が該ポット本体の下部に連通し、該注ぎ口の該出水口の形状が、該出水口の上縁部が下縁部よりやや長い鷹の嘴状である、ことを特徴とする、請求項１に記載のドリップポット。
【考案の詳細な説明】
【技術分野】
【０００１】
本考案はドリップポットに関し、特に、多機能を備えたドリップポットに関する。
【背景技術】
【０００２】
現在市場で見受けられるコーヒードリップポットは、基本的にほとんどが温度測定機能を備えておらず、温度計があってもドリップポットの蓋に固定されており、製品の柔軟な設計に重大な影響を与えている。このため顧客がドリップポットを購入するときは別途温度計を購入する必要がある。コーヒードリップポットのハンドルの使用体験も非常に重要なユーザーエクスペリエンスの１つであるが、市販製品のハンドルは基本的にポット本体に固定されており、使用者は使用体験に基づいて適したハンドルを選択することはできない。
【０００３】
市場の現有製品の設計は比較的代わり映えせず、機能が単一であり、ユーザーエクスペリエンスを満たすことができない。例えば現有の中国実用新案第２０１６２０１１７１６５.１号の出願は、組立式ドリップポットであり、ポット本体と、第１蓋体と、第２蓋体を含み、該ポット本体は内壁面と外壁面が形成された筒状体を備え、該筒状体が第１開口を有する第１端と、第２開口を有する第２端を備え、該第１開口、第２開口、及び内壁面が共同で液体貯蔵空間を形成し、該第１蓋体は該筒状体の該第１開口に取り付けられ、該ポット本体の第１端に封鎖状態を形成し、かつ該第１蓋体は該第１開口から選択的に取り外して該ポット本体の第１端に開放状態を形成することができ、該第２蓋体は該筒状体の該第２開口に取り付けられ、該ポット本体の該第２端を封鎖する座体部と、該座体部に連接された注ぎ口部を備え、該座体部が該注ぎ口部と液体貯蔵空間を相互に連通する連通路を有し、そのうち、該ポット本体、第１蓋体、第２蓋体が共同で１つのドリップポット構造を形成している。これは該注ぎ口部を自由に組み立てることはできるが、上述のハンドル、温度測定等の問題を効果的に解決することはできない。
【先行技術文献】
【特許文献】
【０００４】
【特許文献１】中国実用新案第２０１６２０１１７１６５．１号明細書
【考案の概要】
【考案が解決しようとする課題】
【０００５】
上述の技術的問題に鑑み、本考案の目的は、特にハンドルを自由に交換でき、かつハンドルが人体工学に完全に則した設計で、使用者が楽に使用でき、また温度測定装置を備え、該温度測定装置を必要に応じてドリップポットの異なる部位に取り付け、温度測定または収納の二つの機能を達成することができ、さらに特殊な注ぎ口の設計により異なる水流強度条件下で水柱の角度を同一に確保することができる、ドリップポットを提供することにある。
【課題を解決するための手段】
【０００６】
上述の目的を達するため、本考案の提供する多機能なドリップポットは、該ドリップポットが少なくとも、液体を入れるためのポット本体と、液体の温度を測定するために用いる少なくとも１つの温度計を含み、該ポット本体の上端部にポット蓋が設置され、該ポット蓋の上端部につまみが設置され、該つまみが該ポット蓋上面に設けられた凹陥孔の中に取り付けられ、該ポット本体の一側に少なくとも１つの注ぎ口が設けられ、該注ぎ口に相対する該ポット本体の一側に少なくとも１つのハンドルが設置され、該温度計に設けられた温度プローブを選択的に該ハンドルに挿入して収納するか、該ポット蓋を介して該ポット本体内部に挿入し、液体の温度を測定することができ、該ハンドルが、柄部と支持体を含み、該支持体の一端が該ポット本体の側面に固定され、該支持体の他端が該柄部を挟持し、該柄部が上ハンドルと下ハンドルで構成され、かつ該上ハンドルと下ハンドルの結合端に該柄部を挟持してポット本体に固定するために用いる頚部が形成される。
【０００７】
前述の主な特徴のうち、該支持体が左翼部と右翼部により前端部に２つの固定端を備えたＹ字形の構造を構成し、該支持体の前端部の２つの固定端がポット本体に固定されて三角形の固定点を形成するとともに、該支持体の後端部が挟持端であり、該柄部の頚部を挟持するために用いられる。
【０００８】
前述の主な特徴のうち、該ポット本体は六角形のポットであり、該ポット本体の注ぎ口の入水口が該六角形のポットの１つの角部に設けられる。
【０００９】
前述の主な特徴のうち、該注ぎ口は入水口が上に向かって湾曲し、出水口が下に向かって湾曲したハクチョウの首のような湾曲状であり、そのうち、該注ぎ口の入水口が該ポット本体の下部に連通し、該注ぎ口の出水口の形状が、出水口の上縁部が下縁部よりやや長い鷹の嘴状である。
【００１０】
前述の主な特徴のうち、該上ハンドルは平頭ねじで該下ハンドルと取り外し可能に一体として連接される。
【００１１】
前述の主な特徴のうち、該下ハンドルは頚部と握り部を含み、該握り部は上が太く下が細い円錐台状であり、該握り部の表面に上から下に一列の曲面凹槽が設けられ、該頚部の外径が該握り部の外径より小さく、該支持体で該頚部を挟むために用いられ、かつ上ハンドルと下ハンドル間が取り外し可能に連接される。
【００１２】
前述の主な特徴のうち、該温度計は温度プローブを備えたダイヤル式温度計であり、該ダイヤル式温度計とポット蓋上端部のつまみにそれぞれ同じ規格のねじ山が設けられ、ポット蓋上の凹陥孔が雌ねじの凹陥孔であり、温度計上のねじ山を該雌ねじの凹陥孔の中に螺合し、該ポット蓋を介して温度計の温度プローブを該ポット本体内部に挿入し、液体の温度を測定することができる。
【考案の効果】
【００１３】
本考案の利点は次のとおりである。該柄部を自由に交換できる。該柄部の表面に曲面凹槽を設けた設計は、手で握ったときの人体工学に適応した設計であり、使用者が手で握ったときより快適で楽に使用できる。このほか、本考案は温度計が付属しており、温度計は必要に応じてドリップポットの異なる部位に取り付け、温度の測定と取り外し収納の２つの目的を達成できる。注ぎ口の設計方式により、異なる水流強度条件下でも、同じ水柱の角度を確保することができる。
【図面の簡単な説明】
【００１４】
【図１】本考案のドリップポットの立体分解図である。
【図２】本考案のドリップポットの組立て断面図Ａであり、温度計の温度プローブをハンドルに挿入して収納する動作を示す。
【図３】本考案のドリップポットの組立て断面図Ｂであり、温度計をポット蓋からポット本体内部に挿入し、液体の温度を測定する動作を示す。
【図４】本考案のドリップポットの俯瞰図であり、ポット本体が六角形のポットであり、かつ注ぎ口の入水口が六角形のポットの１つの角部に設けられた状態を示す。
【考案を実施するための形態】
【００１５】
本考案が提供するドリップポットは、該ドリップポットが、液体を入れるポット本体１と、液体の温度を測定する少なくとも１つの温度計２を少なくとも含み、該ポット本体１の上端部にポット蓋１１が設置され、該ポット蓋１１の上端部につまみ１２が設置され、該つまみ１２が該ポット蓋１１上面に設けられた凹陥孔１１１の中に取り付けられ、該ポット本体１の一側に少なくとも１つの注ぎ口１３が設けられ、該注ぎ口１３に相対する該ポット本体１の一側に少なくとも１つのハンドル１４（図１参照）が設置され、該温度計２に設けられた温度プローブ２１を選択的に該ハンドル１４に挿入して収納する（図２参照）か、該ポット蓋１１を介して該ポット本体１内部に挿入し、液体の温度を測定する（図３参照）ことができ、該ハンドル１４が、柄部１４２と支持体１４１を含み、該支持体１４１の一端が該ポット本体１の側面に固定され、該支持体１４１の他端が該柄部１４２を挟持し、該柄部１４２が上ハンドル１４２１と下ハンドル１４２２で構成され、かつ該上ハンドル１４２１と下ハンドル１４２２の結合端に該柄部１４２を挟持してポット本体１に固定するために用いる頚部１４２３が形成される。
【００１６】
本考案のポット本体１は主に六角形のポットで構成され（図４参照）、該ポット本体１の注ぎ口１３の入水口１３２が該六角形のポットの１つの角部に設けられ、該注ぎ口１３は入水口１３２が上に向かって湾曲し、出水口１３１が下に向かって湾曲したハクチョウの首のような湾曲状であり、そのうち、該注ぎ口１３の入水口１３２が該ポット本体１の下部に連通し、該注ぎ口１３の出水口１３１の形状が、出水口１３１の上縁部１３１１が下縁部１３１２よりやや長い鷹の嘴状である（図２参照）。
【００１７】
本考案の支持体１４１は主に、左翼部１４１１と右翼部１４１２により前端部に２つの固定端を備えたＹ字形の構造を構成し、該支持体１４１前端部の２つの固定端がポット本体１に固定されて三角形の固定点を形成し（図１参照）、両者の支持性能を高めており、該支持体１４１の後端部が挟持端１４１３であり、該柄部１４２の頚部１４２３を挟持するために用いられる（図２参照）。
【００１８】
本考案の柄部１４２は主に上ハンドル１４２１と下ハンドル１４２２で構成され、上ハンドル１４２１が平頭ねじで該下ハンドル１４２２と取り外し可能に一体として連接され、下ハンドル１４２２の下端部が握り部であり、かつ該下ハンドル１４２２が上ハンドル１４２１に対応する結合端に頚部１４２３が形成され、該支持体１４１の挟持端１４１３で挟持してポット本体１に固定するために用いられる（図２参照）。
【００１９】
このほか、本考案の温度計２は温度プローブ２１を備えたダイヤル式温度計であり、該ダイヤル式温度計２とポット蓋１１上のつまみ１２はそれぞれ同じ規格のねじ山が設けられ、該ポット蓋１１上の凹陥孔１１１が雌ねじの凹陥孔であり、該ダイヤル式温度計２上のねじ山２０１を該雌ねじの凹陥孔１１１の中に螺合し、該ポット蓋１１を介して温度計２の温度プローブ２１を該ポット本体１内部に挿入し、液体の温度を測定することができる。これと同時に、該つまみ１２は柄部１４２に設けた通孔１４２４内に挿入して収納でき、つまみ１２と温度計２の両者は使用者の必要に応じて位置を交換することができる。つまり、ダイヤル式温度計２は自身のねじ山２０１を通じて柄部１４２の通孔１４２４に螺合し、柄部１４２上に固定することができ、該つまみ１２はポット蓋１１の凹陥孔１１１に固定することができる。
【００２０】
本考案の実施例の設計原理は次のとおりである。Ｙ字形支持体１４１の左翼部１４１１と右翼部１４１２がポット本体１に連接され、左翼部１４１１と右翼部１４１２とポット本体１が三角形の支持を構成し、構造の支持性能を高めており、Ｙ字形支持体１４１の後端部の挟持端１４１３が該柄部１４２の頚部１４２３を挟持する。Ｙ字形支持体１４１の左翼部、右翼部を相互に結合するねじを取り外し、上ハンドル１４２１を下ハンドル１４２２上から取り外した後、下ハンドル１４２２を外して、その他型番のハンドルに交換することができる。Ｙ字形支持体１４１上の左翼部１４１１と右翼部１４１２に穿通させたねじを締め、左翼部１４１１と右翼部１４１２の上端部で下ハンドル１４２２の頚部１４２３をしっかり挟み、下ハンドル１４２２を固定する。手で下ハンドル１４２２を握りドリップポットを持ち上げたとき、下ハンドル１４２２の握り部が支持体１４１に対して支持作用を発揮する。温度測定が必要なときは、つまみ１２を回して取り外し、温度計２を回して柄部１４２上から取り外し、温度計２を抜き出した後、温度計２をポット蓋１１内に挿入し、ねじ山を凹陥孔１１１内に螺合して、温度計２をポット蓋１１上に固定し、温度測定を開始することができる。同時に、つまみ１２を柄部１４２の通孔１４２４に螺合することで、つまみ１２を柄部１４２上に固定でき、使用者が柄部１４２を握ってドリップポットを持ち上げるとき、つまみ１２に親指を添えて支持作用を生じ、より楽に使用することができる。柄部１４２表面に曲面凹槽を設けた設計は、手で握ったときの人体工学に適応した設計であり、使用者が手で握ったときより快適で楽に使用できる。注ぎ口１３には上縁部１３１１が長く、下縁部１３１２が短い鷹の嘴状の設計方式を採用しており、異なる水流強度条件下でも、同じ水柱の角度を確保することができ、使用者がより便利に、楽に水を注ぐことができる。
【００２１】
以上の説明は本考案の最良の実施例を示したものであり、これによって本考案の特許範囲が限定されることはなく、本考案の明細書及び図面の内容を運用した簡易な修飾及び同等効果の構造変化はいずれも本考案の範囲内に含まれる。
【符号の説明】
【００２２】
１ ポット本体
１１ ポット蓋
１１１ 凹陥孔
１２ つまみ
１３ 注ぎ口
１３１ 出水口
１３１１ 上縁部
１３１２ 下縁部
１３２ 入水口
１４ ハンドル
１４１ 支持体
１４２ 柄部
１４１１ 左翼部
１４１２ 右翼部
１４１３ 挟持端
１４２１ 上ハンドル
１４２２ 下ハンドル
１４２３ 頚部
１４２４ 通孔
２ 温度計
２１ 温度プローブ
２０１ ねじ山
【図１】
0003226024.tif 000003
【図２】
0003226024.tif 000004
【図３】
0003226024.tif 000005
【図４】
0003226024.tif 000006